(57)【特許請求の範囲】
【請求項１】
印加電圧に応じて移動する荷電体を利用して表示動作を行う表示手段を有する端末装置であって、
前記表示手段に所定電圧を印加することによってリフレッシュ動作を行うリフレッシュ手段と、
前記リフレッシュ手段による前回のリフレッシュ動作からの経過時間を計測する時間計測手段と、
当該端末装置の現在の状態を検出する検出手段と、
この検出手段による検出結果に基づいて、当該端末装置の現在の状態が、前記表示手段が使用者に対面していない状態であると判別される場合で、かつ前記時間計測手段による、前回のリフレッシュ動作からの経過時間が所定の時間を超えている場合に、前記リフレッシュ動作を行うように前記リフレッシュ手段の動作を制御するリフレッシュ制御手段と、
を具備したことを特徴とする端末装置。
【請求項２】
前記リフレッシュ手段は、単色表示によるリフレッシュ動作を前記表示手段の表示域全体に対して行う、
ようにしたことを特徴とする請求項１記載の端末装置。
【請求項３】
前記検出手段は、当該端末装置の現在の状態として前記表示手段の向きを検出する、
ようにしたことを特徴とする請求項１または２に記載の端末装置。
【請求項４】
使用者の顔を撮影する撮影手段を更に備え、
前記検出手段は、当該端末装置の現在の状態として前記撮影手段によって使用者の顔が撮影されているか否かに基づいて前記表示手段の向きを検出する、
ようにしたことを特徴とする請求項１または２に記載の端末装置。
【請求項５】
前記検出手段は、当該端末装置の現在の状態として前記表示手段の周辺の明るさを検出する、ようにしたことを特徴とする請求項１または２に記載の端末装置。
【請求項６】
使用者の顔を撮影する撮影手段を更に備え、
前記検出手段は、
当該端末装置の現在の状態として前記表示手段の向きを検出する第１の検出手段と、
当該端末装置の現在の状態として前記撮影手段によって使用者の顔が撮影されているか否かに基づいて前記表示手段の向きを検出する第２の検出手段と、
当該端末装置の現在の状態として前記表示手段の周辺の明るさを検出する第３の検出手段と
を備え、
前記リフレッシュ制御手段は、少なくとも前記第１の検出手段、前記第２の検出手段、または前記第３の検出手段のいずれか１つの検出結果に基づいて、当該端末装置の現在の状態が、前記表示手段が使用者に対面している状態であるか否かを判別する、ようにしたことを特徴とする請求項１または２に記載の端末装置。
【請求項７】
前記リフレッシュ動作中に前記検出手段による検出結果が変化した際に、前記リフレッシュ制御手段は、当該リフレッシュ動作を解除する、
ようにしたことを特徴とする請求項１乃至５のいずれかに記載の端末装置。
【請求項８】
前記リフレッシュ動作中に使用者による操作が行われた際に、前記リフレッシュ制御手段は、当該リフレッシュ動作を解除する、
ようにしたことを特徴とする請求項１乃至５のいずれかに記載の端末装置。
【請求項９】
前記リフレッシュ制御手段は、リフレッシュ動作を解除する際に、動作中の機能の状態を取得し、この状態に応じた表示情報を前記表示手段に表示させる、
ようにしたことを特徴とする請求項７あるいは請求項８何れか記載の端末装置。
【請求項１０】
前記リフレッシュ制御手段は、前記検出手段による検出結果に基づいて、当該端末装置の現在の状態が、前記表示手段が使用者に対面している状態であると判別される場合であっても、前記時間計測手段による、前回のリフレッシュ動作からの経過時間が所定の時間を超えている場合に、前記リフレッシュ動作を行うように前記リフレッシュ手段の動作を制御する、
ようにしたことを特徴とする請求項１記載の端末装置。
【請求項１１】
コンピュータに対して、
印加電圧に応じて移動する荷電体を利用して表示動作を行う表示手段に所定電圧を印加することによってリフレッシュ動作を行う機能と、
前回のリフレッシュ動作からの経過時間を計測する機能と、
現在の状態を検出する機能と、
この検出結果に基づいて、現在の状態が、前記表示手段が使用者に対面していない状態であると判別される場合で、かつ前記前回のリフレッシュ動作からの経過時間が所定の時間を超えている場合に、前記リフレッシュ動作を行うように前記リフレッシュ手段の動作を制御する機能と、
を実現させるためのプログラム。
【発明の詳細な説明】
【技術分野】
【０００１】
この発明は、印加電圧に応じて移動する荷電体を利用して表示動作を行う表示手段を有する端末装置及びプログラムに関する。
【背景技術】
【０００２】
近年、電子ペーパなどのメモリ性を有する表示手段は、時間の経過と共に荷電粒子（荷電体）が凝集したり、表示内容によっては一部分に偏ったりしてしまうことがある。このような凝集や偏りが発生すると、電圧を印加しても充分に荷電粒子を移動させることができず、表示ムラやコントラスト低下の原因となってしまう。
そこで、従来では、荷電粒子の凝集や偏りを解消するために、向きの異なる強めの電圧（交番電圧）を交互に印加することによってリフレッシュ動作を行うようにした技術が知られている。例えば、特許文献１では、前回の表示からの経過時間、前回のリフレッシュ動作からの経過時間、前回のリフレッシュ動作から表示された回数、周囲の温度に応じてリフレッシュ動作を制御するようにしている。
【特許文献１】特開２００７−１８７９３８号公報
【発明の開示】
【発明が解決しようとする課題】
【０００３】
しかしながら、上述した先行技術におけるリフレッシュ動作は、交番電圧を印加して荷電粒子を移動させるため、リフレッシュ動作中、使用者には表示の“ちらつき”として認識されてしまう。例えば、白黒の２色表示を行う表示手段のリフレッシュ動作として、全面黒表示を２５０ミリ秒間、行った後、全面白表示を２５０ミリ秒間、行う場合に、全面黒表示と全面白表示によって、使用者には表示全体がちらついて見えてしまうという不具合があった。
【０００４】
この発明の課題は、印加電圧に応じて移動する荷電体を利用して表示動作を行う表示手段において、適切なタイミングでリフレッシュ動作を行うことで、その荷電体の凝集や偏りを防止できるようにすることである。
【課題を解決するための手段】
【０００５】
請求項１記載の発明は、印加電圧に応じて移動する荷電体を利用して表示動作を行う表示手段を有する端末装置であって、前記表示手段に所定電圧を印加することによってリフレッシュ動作を行うリフレッシュ手段と、前記リフレッシュ手段による前回のリフレッシュ動作からの経過時間を計測する時間計測手段と、当該端末装置の現在の状態を検出する検出手段と、この検出手段による検出結果に基づいて、当該端末装置の現在の状態が、前記表示手段が使用者に対面していない状態であると判別される場合で、かつ前記時間計測手段による、前回のリフレッシュ動作からの経過時間が所定の時間を超えている場合に、前記リフレッシュ動作を行うように前記リフレッシュ手段の動作を制御するリフレッシュ制御手段と、を具備したことを特徴とする。
更に、コンピュータに対して、上述した請求項１記載の発明に示した主要機能を実現させるためのプログラムを提供する（請求項１１記載の発明）。
【０００６】
なお、上述した請求項１記載の発明は次のようなものであってもよい。
前記リフレッシュ手段は、単色表示によるリフレッシュ動作を前記表示手段の表示域全体に対して行うようにしたことを特徴とする（請求項２記載の発明）。
【０００７】
前記検出手段は、当該端末装置の現在の状態として前記表示手段の向きを検出するようにしたことを特徴とする（請求項３記載の発明）。
【０００８】
請求項３記載の発明において、使用者の顔を撮影する撮影手段を更に備え、前記検出手段は、当該端末装置の現在の状態として前記撮影手段によって使用者の顔が撮影されているか否かに基づいて前記表示手段の向きを検出するようにしたことを特徴としてもよい（請求項４記載の発明）。
【０００９】
前記検出手段は、当該端末装置の現在の状態として前記表示手段の周辺の明るさを検出するようにしたことを特徴とする（請求項５記載の発明）。
【００１０】
使用者の顔を撮影する撮影手段を更に備え、前記検出手段は、当該端末装置の現在の状態として前記表示手段の向きを検出する第１の検出手段と、当該端末装置の現在の状態として前記撮影手段によって使用者の顔が撮影されているか否かに基づいて前記表示手段の向きを検出する第２の検出手段と、当該端末装置の現在の状態として前記表示手段の周辺の明るさを検出する第３の検出手段とを備え、前記リフレッシュ制御手段は、少なくとも前記第１の検出手段、前記第２の検出手段、または前記第３の検出手段のいずれか１つの検出結果に基づいて、当該端末装置の現在の状態が、前記表示手段が使用者に対面している状態であるか否かを判別する、ようにしたことを特徴とする（請求項６記載の発明）。
前記リフレッシュ動作中に前記検出手段による検出結果が変化した際に、前記リフレッシュ制御手段は、当該リフレッシュ動作を解除する（請求項７記載の発明）。
【００１１】
前記リフレッシュ動作中に使用者による操作が行われた際に、前記リフレッシュ制御手段は、当該リフレッシュ動作を解除する（請求項８記載の発明）。
【００１２】
請求項７あるいは８記載の発明において、前記リフレッシュ制御手段は、リフレッシュ動作を解除する際に、動作中の機能の状態を取得し、この状態に応じた表示情報を前記表示手段に表示させる（請求項９記載の発明）
【００１３】
前記リフレッシュ制御手段は、前記検出手段による検出結果に基づいて、当該端末装置の現在の状態が、前記表示手段が使用者に対面している状態であると判別される場合であっても、前記時間計測手段による、前回のリフレッシュ動作からの経過時間が所定の時間を超えている場合に、前記リフレッシュ動作を行うように前記リフレッシュ手段の動作を制御する（請求項１０記載の発明）。
【発明の効果】
【００１４】
この発明によれば、印加電圧に応じて移動する荷電体を利用して表示動作を行う表示手段において、適切なタイミングでリフレッシュ動作を行うことで、その荷電体の凝集や偏りを適切に防止できるほか、荷電体の劣化を効果的に防止することもでき、実用効果の高いものとなる。
【発明を実施するための最良の形態】
【００１５】
以下、図１〜図６を参照して本発明の実施形態を説明する。
この実施形態は、端末装置として携帯電話装置に適用した場合を例示したもので、図１は、この携帯電話装置の基本的な構成要素を示したブロック図である。
この携帯電話装置は、例えば、２つの筐体（操作部筐体、表示部筐体）が開閉可能に取り付けられた折り畳み自在なもので、図２は、操作部筐体と表示部筐体との折り畳みを開いた状態を示している。そして、この携帯電話装置には、通話機能（音声通話機能、テレビ電話機能）、電子メール機能、カメラ機能などが備えられている。
【００１６】
制御部１は、二次電池を備えた電源部２からの電力供給によって動作し、記憶部３内の各種のプログラムに応じてこの携帯電話装置の全体動作を制御するもので、この制御部１にはＣＰＵ（中央演算処理装置）やメモリなどが設けられている。記憶部３は、内部メモリで、プログラム領域とデータ領域とを有し、このプログラム領域には、後述する図３〜図５に示す動作手順に応じて本実施例を実現するためのプログラムが格納されている。なお、記憶部３としては、例えば、ＳＤカード、ＩＣカードなど、着脱自在な可搬型メモリ（記録メディア）を含む構成であってもよい。
【００１７】
表示部４は、図２に示すように表示部筐体Ａの内側の略全域に配置されており、数値、文字、待受画像、撮影画像、アニメーションなどを高精細に表示可能なもので、その待受画面のピクトエリアには、時刻表示、受信感度などが表示される。そして、この表示部４は、電気泳動現象を利用したマイクロカプセル方式の電子ペーパ（電気泳動ディスプレイの一例）によって構成されている。すなわち、表示部４は、対向する一対の電極の間に、着色された荷電粒子（荷電体）が充填された媒体が多数配置されてなる電子ペーパで、この一対の電極間に電圧が印加されると、この媒体内の荷電粒子が印加された電圧に応じた方向に移動することで表示を行う構成となっている。この表示部４に対しては、その荷電粒子の凝集や偏りを解消するために、その一対の電極の間に、所定電圧を印加することによって単色表示（全面黒表示あるいは全面白表示）によるリフレッシュ動作を行うようにしている。このリフレッシュ動作は、携帯電話装置の現在の状態、つまり、表示部４の向きとその周辺の明るさに応じて制御される。
【００１８】
操作部５は、図２に示すように操作部筐体Ｂの内側の略全域に配置され、ダイヤル入力、文字入力、コマンド入力などを行うもので、制御部１は、操作部５からの操作信号に応じた処理として、例えば、発信処理など、各種の処理を実行する。通信部６は、無線部、ベースバンド部、多重分離部などを備え、例えば、通話機能、電子メール機能の動作時に最寄りの基地局との間でデータの送受信を行うもので、通話機能の動作時にはベースバンド部の受信側から信号を取り込んで受信ベースバンド信号に復調したのち、電話部７を介して通話用スピーカＳＰから音声出力させ、また、通話用マイクＭＣからの入力音声データを電話部７から取り込み、送信ベースバンド信号に符号化したのち、ベースバンド部の送信側に与えてアンテナから発信出力させる。
【００１９】
向き検出部８は、例えば、振動センサ（加速度センサ）によって構成され、当該携帯電話装置の現在の状態として、使用者に対する表示部４の向きを検出するもので、図２に示すように表示部筐体Ａと操作部筐体Ｂとの折り畳みを開いている状態において、使用者に対して表示部４が対面しているか逆向きかの検出を行う。すなわち、向き検出部８は、装置本体に加わる振動を加速度センサが検知すると、その振動の強弱及びその変化の規則性などから表示部４の向きとして、使用者が表示部４を見ていない状態、つまり、使用者に対して表示部４が逆方向となっている逆向き状態を検出するようにしている。なお、向き検出部８は、使用者が表示部４を見ている状態、つまり、使用者に対して表示部４が対面している対面向きの状態かを検出するようにしてもよい。制御部１は、この向き検出部８によって検出された表示部４の向きに応じて表示部４のリフレッシュ動作を制御するようにしている。
【００２０】
撮影部９は、テレビ電話機能などを構成するもので、撮影レンズ、ミラー等のレンズ・ミラーブロック、撮像素子、その駆動系のほか、測距センサ、光量センサ、アナログ処理回路、信号処理回路、圧縮伸張回路などを備えている。図２に示すように表示部筐体Ａと操作部筐体Ｂとの折り畳みを開いている状態において、表示部筐体Ａの下側には撮影部９を構成する撮影レンズが配置され、この撮影レンズが使用者（ユーザ）に対面することによって撮影部９は、使用者の顔を撮影するようにしている。この撮影部９によって撮影された画像が顔検出部１０に与えると、顔検出部１０は、当該携帯電話装置の現在の状態として、撮影画像を解析して使用者の顔が含まれているかを検出するもので、使用者の顔が含まれていれば、表示部４が使用者に対面していると判断するようにしている。
【００２１】
顔検出部１０は、撮影された画像を取り込んで、人物の顔部分に相当する画像部分を抽出すると共に、この抽出画像（顔画像）と予め登録されている使用者の登録画像（顔画像）とを順次比較することによって撮影画像内に使用者の顔が含まれているかの検出を行う。この場合、制御部１は、顔検出部１０によって使用者の顔が含まれているかの結果結果（表示部４が使用者に対面しているか否か）に応じて表示部４のリフレッシュ動作を制御するようにしている。すなわち、使用者の顔が含まれていて、表示部４が使用者に対面していると判断した際に、リフレッシュ動作を開始させるようにしている。
【００２２】
明るさ検出部１１は、当該携帯電話装置の現在の状態として、表示部４の周辺の明るさを検出する照度計であり、図２に示すように表示部筐体Ａの下側には、明るさ検出部１１を構成する光センサが配置されている。制御部１は、この明るさ検出部１１によって検出された明るさに応じて表示部４のリフレッシュ動作を制御するようにしている。例えば、表示部４が机面などに伏せられている状態であったり、机の引き出しなどに収納されていたり、夜などの暗闇であったりする場合には、表示部４のリフレッシュ動作を実行させる。なお、時計部１２は、現在日時を計測するもので、現在日時は表示部４に表示される。
【００２３】
次に、この実施形態における携帯電話装置の動作概念を図３〜図５に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。
【００２４】
図３〜図５は、電源投入に伴って実行開始される携帯電話装置の全体動作を示したフローチャートである。
先ず、制御部１は、電源がオンされると、リフレッシュ保持フラグを“０”にリセットした後（図３のステップＳ１）、経過時間タイマをクリアすると共に（ステップＳ２）、その計測動作を開始させる（ステップＳ３）。このリフレッシュ保持フラグは、表示部４のリフレッシュ動作を保持するか否かを示すフラグである。
図６は、リフレッシュ保持フラグを説明するための図で、その値が“０”のときには、“リフレッシュ状態を保持しない”ことを示し、“１”
のときには、“リフレッシュ状態を保持する”ことを示している。なお、電源オン時にはリフレッシュ保持フラグは“０”にリセットされる。経過時間タイマは、前回のリフレッシュ動作からの経過時間を計測するもので、電源オン時に、この経過時間タイマはクリアスタートされる。
【００２５】
この状態において、通信部６からの着信有無をチェックしたり（ステップＳ４）、表示時刻を更新させるための時刻取得タイミングになったかをチェックしたり（ステップＳ９）、表示される受信感度を更新させるための受信感度取得タイミングになったかをチェックしたりする（ステップＳ１４）。いま、着信を検出したときには（ステップＳ４でＹＥＳ）、回線接続させるオフフック操作に応答して（ステップＳ５でＹＥＳ）、通話可能状態とする通話処理を実行し（ステップＳ６）、また、回線を遮断させるオンフック操作に応答して（ステップＳ７でＹＥＳ）、回線遮断処理を行う（ステップＳ８）。その後、上述のステップＳ４に戻る。
【００２６】
また、時計部１２から桁上げ信号を受け取って時刻取得タイミングになったことを検出すると（ステップＳ９でＹＥＳ）、それが分単位を更新するタイミングでなければ（ステップＳ１０でＮＯ）、上述のステップＳ４に戻るが、分単位を更新するタイミングであれば（ステップＳ１０でＹＥＳ）、リフレッシュ保持フラグは“０”であるかを調べる（ステップＳ１１）。いま、リフレッシュ保持フラグが“１”であれば、時刻表示を無効とするために上述のステップＳ４に戻るが、リフレッシュ保持フラグが“０”であれば（ステップＳ１１でＹＥＳ）、時刻表示中であることを条件に（ステップＳ１２でＹＥＳ）、その時刻表示を更新する処理を行う（ステップＳ１３）。
【００２７】
また、受信感度取得タイミングになったことを検出したときには（ステップＳ１４でＹＥＳ）、通信部６での受信感度に変化があったかを調べ（ステップＳ１５）、受信感度が変化したときには、上述した時刻表示の場合と同様に、リフレッシュ保持フラグが“０”で（ステップＳ１６でＹＥＳ）、受信感度表示中であることを条件に（ステップＳ１７でＹＥＳ）、次のステップＳ１８に移り、受信感度表示を今回取得した感度に更新する処理を行う。
【００２８】
また、受信感度取得タイミングでなければ（ステップＳ１４でＮＯ）、図４のフローに移り、表示部４の向きを検出するタイミングとなったかをチェックしたり（ステップＳ１９）、表示部４の周辺の明るさを検出するタイミングとなったかをチェックしたり（ステップＳ２０）、使用者の顔を検出するタイミングとなったかをチェックしたりする（ステップＳ２１）。いま、表示部４の向きを検出するタイミング（例えば、１分間隔）になったときには（ステップＳ１９でＹＥＳ）、向き検出部８からの検出結果に基づいて使用者が表示部４を見ていない状態、つまり、使用者に対して表示部４が逆向きの状態であるかを判別し（ステップＳ２２）、表示部４が逆向きであれば、使用者が表示部４を見ていない状態であると判断して、ステップＳ２３に移り、リフレッシュ保持フラグは“０”であるかを調べる。
【００２９】
ここで、表示部４が逆向きの状態において、リフレッシュ保持フラグが“１”であれば（ステップＳ２３でＮＯ）、リフレッシュ動作中であるために、図３のステップＳ４に戻るが、リフレッシュ保持フラグが“０”であれば（ステップＳ２３でＹＥＳ）、経過時間タイマによって計測された時間は所定時間を越えたか、例えば、経過時間タイマが計測動作を開始してから３０分が経過したかを調べる（ステップＳ２４）。ここで、所定時間（３０分）以下であれば、過剰なリフレッシュ動作を回避するために、図３のステップＳ４に戻るが、所定時間を越えている場合には、それを条件に（ステップＳ２４でＹＥＳ）、表示部４のリフレッシュ動作を開始させる（ステップＳ２５）。
【００３０】
すなわち、表示部４を構成する一対の電極の間に所定電圧を印加することによって単色表示（黒表示あるいは白表示）によるリフレッシュ動作を開始させる。この場合、表示画面全体が真っ黒あるいは真っ白となるような全面表示を行う。そして、制御部１は、リフレッシュ保持フラグを“１”に変更した後に（ステップＳ２６）、経過時間タイマの計測動作を停止させて（ステップＳ２７）、経過時間タイマの計測時間をクリアした後（ステップＳ２８）、図３のステップＳ４に戻る。
【００３１】
また、表示部４の周辺の明るさを検出するタイミングであれば（ステップＳ２０でＹＥＳ）、その明るさは所定値（例えば、１０ルックス）未満かを調べ（ステップＳ３４）、所定値未満の明るさで、表示部４の周辺が暗ければ、例えば、表示部４が机面などに伏せられている状態であったり、机の引き出しなどに収納されていたり、夜などの暗闇であると判断し（ステップＳ３４でＹＥＳ）、上述の場合と同様に、リフレッシュ保持フラグが“０”で（ステップＳ２３でＹＥＳ）、経過時間タイマの計測時間が所定時間を越えていることを条件に（ステップＳ２４でＹＥＳ）、リフレッシュ動作を開始させると共に（ステップＳ２５）、リフレッシュ保持フラグを“１”に変更する（ステップＳ２６）。そして、経過時間タイマの計測動作を停止させて（ステップＳ２７）、経過時間タイマの計測時間をクリアした後（ステップＳ２８）、図３のステップＳ４に戻る。
【００３２】
また、顔検出タイミングであれば（ステップＳ２１でＹＥＳ）、撮影部９によって撮影された画像（モニタ画像）を取り込むと共に、顔検出部１０を起動させて使用者の顔を認識したかを調べる（ステップＳ３５）。この場合、顔検出部１０は、撮影画像の中から顔部分の画像を抽出すると共に、この抽出画像（顔画像）と予め登録されている使用者の登録画像（顔画像）とを順次比較する。例えば、顔の輪郭、目、口、鼻、額等の形、位置、大きさ、髪型、メガネの有無と種類などを個別に比較するほか、それらを総合的に比較することによって顔画像比較を行い、使用者の顔を認識したかを調べる。
【００３３】
いま、使用者の顔を認識することができない場合には（ステップＳ３５でＮＯ）、使用者に対して表示部４が逆向きの状態にあると判断し、上述の場合と同様に、リフレッシュ保持フラグが“０”で（ステップＳ２３でＹＥＳ）、経過時間タイマの計測時間が所定時間を越えていることを条件に（ステップＳ２４でＹＥＳ）、リフレッシュ動作を開始させると共に（ステップＳ２５）、リフレッシュ保持フラグを“１”に変更する（ステップＳ２６）。そして、経過時間タイマの計測動作を停止させて（ステップＳ２７）、経過時間タイマの計測時間をクリアした後（ステップＳ２８）、図３のステップＳ４に戻る。
【００３４】
一方、表示部４が逆向きでない場合（ステップＳ２２でＮＯ）、あるいは表示部４の周辺が明るくて所定値以上の場合（ステップＳ３４でＮＯ）、もしくは使用者の顔を認識した場合（使用者に対して表示部４が逆向きの状態にあると判断した場合）には（ステップＳ３５でＹＥＳ）、リフレッシュ保持フラグは“０”であるかを調べる（ステップＳ２９）。ここで、この保持フラグが“０”であれば、図３のステップＳ４に戻るが、リフレッシュ保持フラグが“１”であれば（ステップＳ２９でＮＯ）、つまり、リフレッシュ動作中であれば、それを解除する処理に移る（ステップＳ３０〜Ｓ３３）。
【００３５】
すなわち、現在実行中の機能の状態を取得し（ステップＳ３０）、この取得状態から表示情報（例えば、メール機能が実行中であれば、その状態に応じてメール作成画面などの表示情報）を生成して表示部４に表示させる（ステップＳ３１）。これによって単色表示（全面黒表示あるいは全面白表示）によるリフレッシュ動作が解除され、現在、実行中の機能画面に切り換えられる。そして、リフレッシュ保持フラグを“０”にリセットすると共に（ステップＳ３２）、経過時間タイマの計測動作を再開させた後（ステップＳ３３）、図３のステップＳ４に戻る。
【００３６】
他方、向き検出タイミング、明るさ検出タイミング、顔検出タイミングの何れでもない場合には（ステップＳ２１でＮＯ）、図５のフローに移り、経過時間タイマの計測時間が所定時間（例えば、２時間）を越えているかことを条件に（ステップＳ３６でＹＥＳ）、表示部４のリフレッシュ動作を開始させる（ステップＳ３７）。言い換えれば、向き検出タイミング、明るさ検出タイミング、顔検出タイミングにならなくても、所定時間毎にリフレッシュ動作を開始させる。そして、この経過時間タイマをクリアした後（ステップＳ３８）、図３のステップＳ４に戻る。また、ユーザ操作が行われたときには（ステップＳ３９でＹＥＳ）、操作に応じた処理として、例えば、発信処理、電子メール送信処理などを行った後（ステップＳ４０）、図４のステップＳ２９に移り、リフレッシュ保持フラグが“１”でリフレッシュ動作中であれば（ステップＳ２９でＮＯ）、それを解除する処理に移る（ステップＳ３０〜Ｓ３３）。
【００３７】
以上のように、この実施形態において制御部１は、印加電圧に応じて移動する荷電体を利用して表示動作を行う表示部４に所定電圧を印加することによってリフレッシュ動作を行うが、その際、現在の状態を検出し、この検出結果に基づいてリフレッシュ動作を行うか否かを制御するようにしたので、適切なタイミングでリフレッシュ動作を行うことができ、荷電体の凝集や偏りを適切に防止することができるほか、表示部４に交番電圧を印加する場合に比べて荷電体の劣化を効果的に防止することもでき、実用効果の高いものとなる。
【００３８】
単色表示（例えば、真っ黒表示あるいは真っ白表示）によるリフレッシュ動作を表示部４の表示域全体に対して行うようにしたので、表示域全体にリフレッシュ効果を施すことができるほか、荷電体の劣化防止効果を更に向上させることができる。
【００３９】
携帯電話装置の現在の状態として向き検出部８は、表示部４の向きを検出するようにしたので、使用者が表示部４を見ているか否かを容易に判断することができる。
【００４０】
携帯電話装置の現在の状態として顔検出部１０は、撮影部９によって使用者の顔が撮影されているか否かを検出して表示部４の向きを判断するようにしたので、撮影画像を解析するだけで、使用者が表示部４を見ているか否かを容易に判断することができる。
【００４１】
携帯電話装置の現在の状態として明るさ検出部１１は、表示部４の周辺の明るさを検出するようにしたので、表示部４の周辺が暗ければ、例えば、表示部４が机面などに伏せられていたり、机の引き出しなどに収納されていたり、夜などの暗闇の中にいる状態であると判断することができる。
【００４２】
リフレッシュ動作中に携帯電話装置の現在の状態が変化した際に、リフレッシュ動作を解除するようにしたので、携帯電話装置の状態が変化するまでの間、リフレッシュ動作を保持することができるほか、特別な操作を行うことなく、リフレッシュ動作を解除することができる。
【００４３】
リフレッシュ動作中に使用者による操作が行われた際に、リフレッシュ動作を解除するようにしたので、携帯電話装置の現在の状態が変化しなくても、例えば、メール作成などを指示する操作を行うだけで、リフレッシュ動作を解除することが可能となる。
【００４４】
リフレッシュ動作を解除する際に、動作中の機能の状態を取得し、この状態に応じた表示情報を表示部４に表示させるようにしたので、例えば、メール作成などを指示する操作を行うだけで、リフレッシュ動作を解除するほか、メール作成画面を表示させることができる。
【００４５】
携帯電話装置の現在の状態を検出した検出結果と前回のリフレッシュ動作からの経過時間を計測した計測時間に基づいてリフレッシュ動作を行うか否かを制御するようにしたので、携帯電話装置の現在の状態のほか、前回のリフレッシュ動作からの経過時間に応じてリフレッシュ動作を制御することができ、より効果的なものとなる。
【００４６】
なお、上述した実施形態においては、表示部４を構成する一対の電極の間に、所定電圧を印加することによって単色表示（全面黒表示あるいは全面白表示）によるリフレッシュ動作を行うようにしたが、例えば、向きの異なる逆極性の強めのパルス電圧（交番電圧）を交互に印加することによって、全面黒表示と全面白表示とを交互に切り換えるリフレッシュ動作を行うようにしてもよい。
【００４７】
また、上述した実施形態においては、携帯電話装置の現在の状態として、表示部４の向きやその周辺の明るさを検出するようにしたが、これに限らず、例えば、現在位置、現在時刻を現在の状態として検出し、この現在位置、現在時刻に応じて表示部４を使用しない可能性が高いか、使用者が表示部４を見ない可能性が高いかを判断して、リフレッシュ動作を制御するようにしてもよい。
【００４８】
また、上述した実施形態においては、電子泳動ディスプレイとして、電子ペーパを例示したが、これに限らず、電子泳動現象を利用して表示動作を行う電子泳動ディスプレイであってもよい。
【００４９】
また、表示部筐体Ａの内側の略全域に配置された表示部（メイン表示部）４を電子泳動ディスプレイで構成する場合に限らず、表示部筐体Ａの外側に配置され、現在日時や電池残量などを簡易表示する表示部（サブ表示部）を電子泳動ディスプレイで構成するようにしてもよい。
【００５０】
その他、携帯電話装置に限らず、例えば、印加電圧に応じて移動する荷電粒子を使用して表示動作を行う表示画面を備えたＰＣ・ＰＤＡ・デジタルカメラ・音楽再生機などの端末装置であっても同様に適用可能である。
【図面の簡単な説明】
【００５１】
【図１】端末装置として適用した携帯電話装置の基本的な構成要素を示したブロック図。
【図２】操作部筐体と表示部筐体との折り畳みを開いた状態を示した図。
【図３】電源投入に伴って実行開始される携帯電話装置の全体動作を示したフローチャート。
【図４】図３に続く動作を示したフローチャート。
【図５】図４に続く動作を示したフローチャート。
【図６】リフレッシュ保持フラグを説明するための図。
【符号の説明】
【００５２】
１  制御部
２  電源部
３  記憶部
４  表示部
５  操作部
６  通信部
７  電話部
８  向き検出部
９  撮影部
１０  顔検出部
１１  明るさ検出部
１２  時計部
【図１】
0005187743.tif 000002
【図２】
0005187743.tif 000003
【図３】
0005187743.tif 000004
【図４】
0005187743.tif 000005
【図５】
0005187743.tif 000006
【図６】
0005187743.tif 000007